(57)【要約】【課題】テレビ放送受信機能を有する携帯通信装置において、テレビ放送を視聴中に携帯電話が通話状態となると、その間、テレビ放送が視聴できなくなるため、番組内容が断片的に把握できなくなる不都合があった。【解決手段】携帯通信装置１は、テレビ視聴中に携帯電話部４により通話が開始された場合、自動的にテレビ放送を記録／再生部５によって記録し、通信終了とともに記録は続けながら記録開始時点から記録／再生部５により再生を自動的に始めるように構成している。これにより使用者は、通話が行われても通話期間中のテレビ放送内容を省くことなく視聴することができる。【選択図】        図１
2004193944.tif 000002
【特許請求の範囲】
【請求項１】
テレビ放送を受信して、該テレビ放送を記録／再生可能な携帯通信装置であって、
電話回線による通話が可能な無線通信機能を有する携帯電話手段と、
テレビ放送を受信するテレビ放送受信手段と、
前記テレビ放送の映像音声情報を記録／再生する記録／再生手段と、
前記映像音声情報の映像情報を表示する表示手段と、
少なくとも前記携帯電話手段の動作状態に基づいて前記記録／再生手段の動作を制御する制御手段と
を有し、
前記テレビ放送受信手段が受信する前記テレビ放送を実時間表示している最中に、前記携帯電話手段の通話の開始に同期して、受信中の前記映像音声情報を前記記録／再生手段によって逐次記録する補完記録を可能としたことを特徴とする携帯通信装置。
【請求項２】
受信中の前記映像音声情報を前記記録／再生手段によって前記補完記録している際に、前記通話の終了に同期して、前記記録／再生手段によって、前記補完記録を継続すると共に、前記補完記録開始時点からの映像音声情報を再生する補完再生を可能としたことを特徴とする請求項１記載の携帯通信装置。
【請求項３】
前記記録／再生手段によって前記映像音声情報の記録と再生が同時に行なわれている際に、前記通話の再開始に同期して、前記記録／再生手段によって、前記補完記録を継続すると共に前記補完再生を一時停止し、更に前記通話の再終了に同期して、前記再生の一時停止を解除することを特徴とする請求項２記載の携帯通信装置。
【請求項４】
更に、使用者によって、前記補完記録の実行の有無を選択するための第１の操作手段を有し、該第１の操作手段によって、前記補完記録を実行するように設定された場合に前記補完記録を実行するようにしたことを特徴とする請求項１記載の携帯通信装置。
【請求項５】
更に、使用者によって、前記補完再生の実行の有無を選択するための第２の操作手段を有し、該第２の操作手段によって、前記補完再生を実行するように設定された場合に前記補完再生を実行するようにしたことを特徴とする請求項２記載の携帯通信装置。
【請求項６】
更に、受信中の前記映像音声情報を前記記録／再生手段によって前記補完記録している際に、使用者によって、該補完記録の停止を指示する第３の操作手段を有し、該第３の操作手段の停止指示に基づいて、前記補完記録を停止することを特徴とする請求項１記載の携帯通信装置。
【請求項７】
受信中の前記テレビ放送と共に該テレビ放送の放送時間情報を受信し、前記映像音声情報を前記記録／再生手段によって前記補完記録している際に、前記放送時間情報に基づいて前記補完記録を停止することを特徴とする請求項１記載の携帯通信装置。
【請求項８】
前記テレビ放送とは、地上波テレビ放送、又は通信ネットワークを介した放送サーバによる配信であることを特徴とする請求項１乃至７の何れかに記載の携帯通信装置。
【請求項９】
更に、少なくとも前記記録／再生手段によって再生された前記映像音声情報を、外部の視聴手段で視聴可能とする接続手段を有することを特徴とする請求項１乃至８の何れかに記載の携帯通信装置。
【請求項１０】
電話回線による無線通信機能を有する携帯電話手段と、テレビ放送を受信するテレビ放送受信手段と、前記テレビ放送の映像音声情報を記録／再生する記録／再生手段と、前記映像音声情報の映像情報を表示する表示手段と、少なくとも前記携帯電話手段の動作状態に基づいて前記記録／再生手段の動作を制御する制御手段とを有する携帯通信装置によるテレビ放送の記録／再生方法であって、
前記テレビ放送受信手段が受信する前記映像音声情報を実時間表示している最中に、前記携帯電話手段による通話の開始に同期して、受信中の前記映像音声情報を逐次記録し、
前記通話の終了に同期して、前記記録を継続すると共に、前記記録の開始時点からの映像音声情報を再生する
ことを特徴とする携帯通信装置によるテレビ放送の記録／再生方法。
【発明の詳細な説明】
【０００１】
【発明の属する技術分野】
本発明は、携帯電話等の携帯通信装置に関し、特にテレビ放送を視聴、記録、再生可能な携帯通信装置に関する。
【０００２】
【従来の技術】
従来、この種の携帯通信装置として、携帯電話本体と、該本体に設けられ、通話関連情報、テレビ、ナビゲータシステム等を切り替え可能に表示することが出来る表示部を有する携帯電話機が提案されている。（例えば、特許文献１参照）。
【０００３】
また、テレビ受信機やラジオ受信機で放送を受信するときのように、簡易な操作で通信ネットワークを介して放送コンテンツを取得することができる移動通信機を実現しているものもある。（例えば、特許文献２参照）
【０００４】
【特許文献１】
特開平１１―１９６１６０号公報（第１頁、図１）
【特許文献２】
特開２００２―１６４８６０号公報（第１頁、図１）
【０００５】
【発明が解決しようとする課題】
以上のような従来の携帯通信装置では、テレビ視聴中に無線通信、例えば携帯電話の通信が開始された場合、視聴が一時中断され、通信期間中の番組の一部が視聴できないという問題点があった。
【０００６】
本発明は、上述のような課題を解消するためになされたもので、その目的は、携帯通信装置で、テレビ視聴中に無線通信、例えば携帯電話の通話が開始された場合でも、その通話期間中のテレビ放送内容を省くことなく視聴できる携帯通信装置及びその方法を提供することにある。
【０００７】
【課題を解決するための手段】
本発明の携帯通信装置は、テレビ放送を受信して、該テレビ放送を記録／再生可能な携帯通信装置であって、
電話回線による通話が可能な無線通信機能を有する携帯電話手段と、テレビ放送を受信するテレビ放送受信手段と、前記テレビ放送の映像音声情報を記録／再生する記録／再生手段と、前記映像音声情報の映像情報を表示する表示手段と、
少なくとも前記携帯電話手段の動作状態に基づいて前記記録／再生手段の動作を制御する制御手段とを有し、
前記テレビ放送受信手段が受信する前記テレビ放送を実時間表示している最中に、前記携帯電話手段の通話の開始に同期して、受信中の前記映像音声情報を前記記録／再生手段によって逐次記録する補完記録を可能としたことを特徴とする。
【０００８】
また、本発明の携帯通信装置によるテレビ放送の記録／再生方法は、電話回線による無線通信機能を有する携帯電話手段と、テレビ放送を受信するテレビ放送受信手段と、前記テレビ放送の映像音声情報を記録／再生する記録／再生手段と、前記映像音声情報の映像情報を表示する表示手段と、少なくとも前記携帯電話手段の動作状態に基づいて前記記録／再生手段の動作を制御する制御手段とを有する携帯通信装置によるテレビ放送の記録／再生方法であって、
前記テレビ放送受信手段が受信する前記映像音声情報を実時間表示している最中に、前記携帯電話手段による通話の開始に同期して、受信中の前記映像音声情報を逐次記録し、
前記通話の終了に同期して、前記記録を継続すると共に、前記記録の開始時点からの映像音声情報を再生することを特徴とする。
【０００９】
【発明の実施の形態】
以下、本発明をその実施の形態を示す図面に基づいて具体的に説明する。
【００１０】
実施の形態１．
図１は、本発明による携帯通信装置の実施の形態1の構成を示すブロック図である。
【００１１】
同図において、アンテナ２の接続端子は、テレビ復調部３と携帯電話部４の各入力部に接続されている。テレビ復調部３の出力部は記録／再生部５の入力部に接続され、記録／再生部５の出力部は、表示部７及び音声入出力部８の各入力部に接続されている。携帯電話部４の入出力部は音声入出力部８の入出力部に接続されている。音声入出力部８には、マイクロホン９、スピーカ１０、及びイヤホン／ヘッドホン端子１１が接続されている。そして制御部６の入出力ポートは、テレビ復調部３、携帯電話部４、記録／再生部５、表示部７、及び音声入出力部８の各制御信号入出部に各々接続されている。
【００１２】
尚、アンテナ２、携帯電話部４、及び音声入出力部８が携帯電話手段に相当し、アンテナ２及びテレビ復調部３がテレビ放送受信手段に相当し、記録／再生部５が記録／再生部手段に相当し、表示部７が表示手段に相当し、制御部６が制御手段に相当する。
【００１３】
図２は、以上のように構成された実施の形態１の携帯通信装置１の動作の流れを示すフローチャートであり、以下、このフローチャートに従って携帯通信装置１の動作について説明する。
【００１４】
携帯通信装置１によってテレビ視聴する場合、アンテナ２によってテレビ電波を受信する。このとき受信するチャンネルは制御部６からの選局信号によって選局される。またこのとき、受信するアンテナ２は、図１に示すように携帯電話部４用のアンテナとの共用であっても良いし、図１１に示すように、テレビ受信用アンテナ２ａと携帯電話用アンテナ２ｂとをそれぞれ専用に備えるように構成しても構わない。
【００１５】
そして携帯通信装置１は、受信したテレビ信号をテレビ復調部３によって復調し、復調して得た映像音声情報を、通常の視聴においては記録／再生部５をそのまま通過させ、その映像情報を表示部７によって映像表示する。更にその音声情報を、音声入出力部８を介してスピーカ１０及びイヤホン／ヘッドホン端子１１から音声出力する。図２のフローチャートのステップ１０１は、上記したテレビ視聴状態に相当する。
【００１６】
この時、制御部６は、携帯電話部４によって電話を受信する、或いは発信することによって通話が開始されるのを監視し（ステップ１０２）、通話が開始されると、制御信号を出力して音声入出力部８を通話動作状態にすると共に（ステップ１０３）、記録／再生部５に制御信号を出力し、記録／再生部５による受信中のテレビ放送の映像音声情報の補完記録を開始する（ステップ１０４）。
【００１７】
そしてこのときの表示部７の表示を設定する（ステップ１０５）。この時の表示内容としては、例えば、現在受信、記録しているテレビ放送をそのまま表示しても良いし、補完記録を開始した時点のテレビ放送の静止画を表示しても良いし、全く別の映像を表示しても構わない。
【００１８】
そして、携帯電話部４による通話が終了するのを監視し（ステップ１０６）、通話が終了した時点で、記録／再生部５に制御信号を出力し、補完記録を継続した状態で、記録／再生部５による記録開始時点からの補完再生を始める（ステップ１０７）。そして再生された映像音声情報の再生映像を表示部７によって表示し、再生音声を音声入出力部８によってスピーカ１０及びイヤホン／ヘッドホン端子１１から出力する再生情報視聴状態とする（ステップ１０８）。
【００１９】
以上説明したように、実施の形態１の携帯通信装置１によれば、テレビ放送視聴中に携帯電話部４により通話が開始された場合、自動的にテレビ放送の映像音声情報を記録／再生部５によって記録し、通話終了とともにその記録を続けながら記録開始時点から記録情報の再生を自動的に始めるので、通話が行われてもその通話期間中の放送内容を省くことなく視聴することが可能となる。
【００２０】
実施の形態２．
図３は、本発明による携帯通信装置１によって行われる実施の形態２の処理動作を説明するためのフローチャートである。本実施の形態は、前記した実施の形態１でのステップ１０８の再生情報視聴状態後の携帯通信装置１の動作に関わるもので、以下、このフローチャートに基づいて、その動作を説明する。
【００２１】
前記した実施の形態１でのステップ１０８の再生情報視聴状態中、制御部６は、携帯電話部４によって電話を受信する、或いは発信することによって通話が開始されるのを監視し（ステップ１０９）、通話が開始されると、制御信号を出力して音声入出力部８を再び通話動作状態にすると共に（ステップ１１０）、記録／再生部５に制御信号を出力し、補完記録を継続したまま補完再生を一時停止する（ステップ１１１）。
【００２２】
そしてこのときの表示部７の表示を設定する（ステップ１１２）。この時の表示内容としては、例えば、現在受信、記録している放送をそのまま表示しても良いし、一時停止した時点の再生画像を表示しても良いし、全く別の映像を表示しても構わない。
【００２３】
そして、携帯電話部４による通話が終了するのを監視し（ステップ１１３）、通話が終了した時点で、記録／再生部５に制御信号を出力し、補完記録を継続した状態で、再生一時停止を解除し、補完再生を再び始める（ステップ１１４）。そして再生された映像音声情報の再生映像を表示部７によって表示し、再生音声を音声入出力部８によってスピーカ１０及びイヤホン／ヘッドホン端子１１から出力する再生情報視聴状態とする（ステップ１０８）。
【００２４】
また更にこの後、携帯電話部４によって電話を受信する、或いは発信することによって通話が開始されるのを監視し（ステップ１０９）、上述した処理動作を繰返し行なう。
【００２５】
以上説明したように、実施の形態２による携帯通信装置１の処理動作によれば、前記した実施の形態１の効果に加え、再生された映像音声情報を視聴中に再度携帯電話部４により通話が開始された場合に、記録を継続しながら自動的に記録／再生部５による補完再生を一時停止し、通話終了とともに記録を続けながら再生一時停止を解除して再び補完再生を始めるので、何度通話が行われてもその期間中の放送内容を省くことなく視聴することが可能となる。
【００２６】
実施の形態３．
図４は、本発明による携帯通信装置の実施の形態３の構成を示すブロック図であり、図５は、本実施の形態３の携帯通信装置１５によって行なわれる動作の流を示すフローチャートである。
【００２７】
図４に示す実施の形態３の携帯通信装置１５が、図１に示す前記した実施の形態１の携帯通信装置１と構成的に異なる点は、ユーザインターフェース部１２が新たに加えられた点である。従って、本実施の形態３の携帯通信装置１５が実施の形態１の携帯通信装置１と共通する部分には同符号を付してその説明を省略し、特徴的な点を重点的に説明する。
【００２８】
ユーザインターフェース部１２は、使用者がリモコン等の所定の入力手段（図示せず）を用いて入力する操作情報を制御部６に出力するもので、この入力手段と共に第１の操作手段に相当する。そして本実施の形態では、使用者の操作に基づいて後述する「記録不要」のコマンドを発生させ、或いは保持する。以下、このユーザインターフェース部１２の動作も含む携帯通信装置１５の動作について、図５のフローチャートに従って説明する。
【００２９】
尚、以後、同じ処理動作を行なうステップには、同じステップ番号を付して説明する。
【００３０】
前記した実施の形態１で説明したステップ１０１のテレビ視聴状態時に、制御部６は、携帯電話部４によって電話を受信する、或いは発信することによって通話が開始されるのを監視し（ステップ１０２）、通話が開始されると、ユーザインターフェース部１２において、使用者が番組の記録を行なうように操作を行なった「記録必要」のコマンドが有るか否かを判断する（ステップ２０１）。
【００３１】
もし、「記録必要」のコマンドがあれば、前記した実施の形態１と同じ、ステップ１０３乃至ステップ１０８までの動作によって、テレビ放送視聴中に通話が行われてもその通話期間中の放送内容を省くことなく視聴することを可能となる。
【００３２】
一方、「記録必要」のコマンドがない場合、制御信号を出力して音声入出力部８を通話動作状態にすると共に（ステップ２０２）、このときの表示部７の表示を設定する（ステップ１０５）。この時の表示内容としては、例えば、現在受信しているテレビ放送の番組をそのまま表示しても良いし、全く別の映像を表示しても構わない。
【００３３】
そして、携帯電話部４による通話が終了するのを監視し（ステップ２０４）、通話が終了した時点で、記録／再生部５に制御信号を出力し、受信中のテレビ放送の映像を表示部７によって表示し、その音声を音声入出力部８によってスピーカ１０及びイヤホン／ヘッドホン端子１１から出力するテレビ視聴状態とする（ステップ２０５）。
【００３４】
以上説明したように、実施の形態３の携帯通信装置１５によれば、テレビ放送視聴中に携帯電話部４により通話が開始された場合、自動的にテレビ放送の映像音声情報を記録／再生部５によって記録するか否かを、使用者が選択することができるので、通信期間中の放送内容を省くことなく視聴するか、省いても構わないので受信中のテレビ放送をリアルタイムに視聴するかを使用者が選択することができる。
【００３５】
実施の形態４．
図６は、図４に示す本発明による携帯通信装置１５によって行われる実施の形態４の処理動作を説明するためのフローチャートである。本実施の形態は、前記した実施の形態１において、補完記録した映像音声情報を自動で再生するか否かを選択可能としたもので、以下、このフローチャートに基づいて、その動作を説明する。
【００３６】
尚、本実施の形態では、ユーザインターフェース部１２は、使用者がリモコン等の所定の入力手段（図示せず）を用いて入力する操作情報を制御部６に出力するもので、この入力手段と共に第２の操作手段に相当する。そして本実施の形態では、使用者の操作に基づいて、後述する「自動再生必要」及び「再生指示」のコマンドを発生させ、或いは保持する。
【００３７】
前記した実施の形態１で説明したステップ１０１のテレビ視聴状態時に、制御部６は、携帯電話部４によって電話を受信する、或いは発信することによって通話が開始されるのを監視し（ステップ１０２）、以下実施の形態１の場合と同様のステップ１０３乃至ステップ１０６までの動作によって、携帯電話部４による通話が終了するのを監視する状態となる（ステップ１０６）。
【００３８】
ここで、通話の終了が確認されると、ユーザインターフェース部１２において、使用者が記録した番組の再生を自動で行なうように操作を行なった「自動再生必要」のコマンドが有るか否かを判断する（ステップ３０１）。
【００３９】
もし、「自動再生必要」のコマンドがあれば、前記した実施の形態１と同様に、通話が終了した時点で、記録／再生部５に制御信号を出力し、補完記録を継続した状態で、記録／再生部５による記録開始時点からの補完再生を始める（ステップ１０７）。そして再生された映像音声情報の再生映像を表示部７によって表示し、再生音声を音声入出力部８によってスピーカ１０及びイヤホン／ヘッドホン端子１１から出力する再生情報視聴状態とする（ステップ１０８）。
【００４０】
一方、「自動再生必要」のコマンドがない場合、通話が終了しても補完記録は続けるが自動再生は行なわず（ステップ３０２）、ユーザインターフェース部１２において、使用者が「再生指示」のコマンドを入力するのを監視し（ステップ３０３）、その入力が確認された時点で、記録／再生部５による記録開始時点からの補完再生を始める（ステップ３０４）。そして再生された映像音声情報の再生映像を表示部７によって表示し、再生音声を音声入出力部８によってスピーカ１０及びイヤホン／ヘッドホン端子１１から出力する再生情報視聴状態とする（ステップ１０８）。
【００４１】
以上説明したように、実施の形態４による携帯通信装置１５の処理動作によれば、テレビ放送視聴中に携帯電話部４により通話が開始された場合、自動的にテレビ放送の映像音声情報を記録／再生部５によって記録し、その後の通話終了と同時に、更に補完記録の継続と共に、記録／再生部５による記録開始時点からの記録情報の再生を自動的に始めるか否かを、使用者が選択することができるので、使用者が任意の時間に、記録した映像音声情報を再生して視聴することが可能となる。
【００４２】
実施の形態５．
図７は、図４に示す本発明による携帯通信装置１５によって行われる実施の形態５の処理動作を説明するためのフローチャートである。本実施の形態は、前記した実施の形態１でのステップ１０８の再生情報視聴状態時での携帯通信装置１５の動作に関わるもので、以下、このフローチャートに基づいて、その動作を説明する。
【００４３】
尚、本実施の形態では、ユーザインターフェース部１２は、使用者がリモコン等の所定の入力手段（図示せず）を用いて入力する操作情報を制御部６に出力するもので、この入力手段と共に第３の操作手段に相当する。そして本実施の形態では、使用者の操作に基づいて、後述する「記録停止」のコマンドを発生させ、或いは保持する。
【００４４】
前記した実施の形態１でのステップ１０８の再生情報視聴状態中、即ち受信中のテレビ放送の補完記録を継続した状態で、補完再生される映像音声情報の再生映像を表示部７によって表示し、再生音声を音声入出力部８によってスピーカ１０及びイヤホン／ヘッドホン端子１１から出力している状態において、制御部６は、使用者が、視聴していた番組が終了するなどして、それ以後のテレビ放送の記録が不必要になり、ユーザインターフェース部１２において「記録停止」のコマンドを入力するのを監視する（ステップ３１０）。
【００４５】
そして、「記録停止」の入力を確認すると、記録／再生部５に制御信号を出力して、テレビ放送の補完記録状態を解除する（ステップ３１１）。
【００４６】
以上説明したように、実施の形態５による携帯通信装置１５の処理動作によれば、前記した実施の形態１の効果に加え、再生情報視聴中に、視聴していた番組が終了するなどして、それ以上の現テレビ放送の記録が不必要になった場合は、使用者の意思によって、任意の時間に補完記録を停止することができる。
【００４７】
実施の形態６．
図８は、実施の形態６の処理動作を説明するためのフローチャートである。このフローチャートは、図１に示す本発明による携帯通信装置１で実行するものとして説明する。前記した実施の形態１の場合とは、制御部６の処理動作が異なるが、構成的には同一のため、図１の携帯通信装置１を参照しながら、このフローチャートに基づいて、その動作を説明する。
【００４８】
前記した実施の形態１で説明したステップ１０１のテレビ視聴状態時に、制御部６は、携帯電話部４によって電話を受信する、或いは発信することによって通話が開始されるのを監視し（ステップ１０２）、通話が開始されると、制御信号を出力して音声入出力部８を通話動作状態にすると共に（ステップ１０３）、記録／再生部５に制御信号を出力し、記録／再生部５による受信中のテレビ放送の映像音声情報の補完記録を開始する（ステップ１０４）。
【００４９】
この時、放送局から現在テレビ放送中の番組に関する情報、例えば放送終了時間や放送時間などを同時に受信する（ステップ３５１）。そしてこの時の表示部７の表示を設定する（ステップ１０５）。この時の表示内容としては、例えば、現在受信、記録しているテレビ放送をそのまま表示しても良いし、補完記録を開始した時点のテレビ放送の静止画を表示しても良いし、全く別の映像を表示しても構わない。
【００５０】
そして、携帯電話部４による通話が終了するのを監視し（ステップ１０６）、通話が終了した時点で、記録／再生部５に制御信号を出力し、補完記録を継続した状態で、記録／再生部５による記録開始時点からの補完再生を始める（ステップ１０７）。そして再生された映像音声情報の再生映像を表示部７によって表示し、再生音声を音声入出力部８によってスピーカ１０及びイヤホン／ヘッドホン端子１１から出力する再生情報視聴状態とする（ステップ１０８）。
【００５１】
その後、現在時刻が、補完記録中のテレビ放送の番組の放映終了時間に至ったか否かを監視し（ステップ３５２）、放映終了時間になった時点で、記録／再生部５に制御信号を出力してテレビ放送の補完記録状態を解除する（ステップ３５３）。
【００５２】
以上説明したように、実施の形態６よる携帯通信装置１の処理動作によれば、前記した実施の形態１の効果に加え、再生情報視聴中に、同時進行している補完記録中のテレビ放送の番組の放映終了時間になるなどして、これ以上の記録が不必要になった場合には、自動的に記録が停止されるので、通話によって視聴が中断されたテレビ放送番組のみを自動的に補完記録することができ、無駄な電力消費を防ぐことができる。
【００５３】
実施の形態７．
図９は、本発明による携帯通信装置が、受信して視聴可能とするテレビ放送信号を配信する配信システムを示す実施の形態７のテレビ放送信号の配信システムの構成図である。
【００５４】
同図において、放送サーバ３１は、電話回線網や専用回線網、或いはインターネットなどにより構成される通信ネットワーク３０に接続されており、放送コンテンツを配信する。この通信ネットワーク３０に設置された通信ネットワーク基地局３２からは無線通信用の信号が発信され、また地上波放送局３３からは地上波テレビ放送電波が発信されている。携帯通信装置１は、この通信ネットワーク基地局３２からの無線通信用の信号、或いは地上波放送局３３からの地上波テレビ放送電波を受信する。
【００５５】
上述のように構成された実施の形態７の配信システムの動作について、以下に説明する。
【００５６】
携帯通信装置１は、受信するテレビ放送信号を視聴可能とする場合、受信するするテレビ放送信号を、地上波放送局３３による地上波テレビ放送、及び通信ネットワーク基地局３２による通信ネットワーク３０を介した放送サーバによる配信から選択する。そして受信したテレビ放送信号を、前記した実施の形態１乃至６の何れかで述べた方法で処理し、使用者によって視聴可能な状態とする。
【００５７】
以上説明したように、実施の形態７による配信システムによれば、携帯通信装置１によって、地上波放送局３３による放送、又は通信ネットワーク基地局３２による配信のどちらかを選択してテレビ放送を視聴することが可能となる。
【００５８】
実施の形態８．
図１０は、本発明による携帯通信装置の実施の形態８の構成を示すブロック図である。この携帯通信装置２０が前記した図４に示す実施の形態３の携帯通信装置１５に対して構成的に異なる点は、映像音声出力部１６が新たに追加された点である。従って、本実施の形態８の携帯通信装置２０が実施の形態３の携帯通信装置１５と共通する部分には同符号を付してその説明を省略し、特徴的な点を重点的に説明する。
【００５９】
映像音声出力部１６は、外部視聴手段に接続するための接続手段に相当し、使用者が表示部７とスピーカ１０とで視聴する視聴内容を、必要に応じて据置き型テレビなどの別体の表示装置１７で視聴可能とするための映像信号と音声信号を出力する。表示装置１７は、接続コードを介して携帯通信装置２０からこの映像信号と音声信号とを入力し、その映像及び音声を出力する。
【００６０】
尚、携帯通信装置２０が行なう処理動作は、例えば前記した実施の形態４で説明した図６のフローチャートに従って実行されるもので、その説明は重複するため省略する。
【００６１】
以上説明したように、実施の形態８による携帯通信装置２０は、前記した実施の形態４の効果に加え、例えば外出時に記録した内容を帰宅してから据置き型テレビなど大型の別の表示装置１７に接続することにより、より快適に再生映像、再生音声を視聴することができる。また通常受信時においても映像音声出力部１６から信号が出力されているので、テレビ放送受信時に別の表示装置１７が使用可能ならば、携帯通信装置２０を単なる受信機とし、視聴はより大きな表示装置１７により行うことができる。
【００６２】
【発明の効果】
本発明の携帯通信装置によれば、テレビ放送の視聴中に携帯電話による通話が開始された場合、自動的に受信中のテレビ放送を記録し始めることを可能としているので、通話が終了した時点でテレビ放送の記録は続けたまま、通話が始まった記録開始時点から記録内容を自動的に再生するなどして、テレビ放送の視聴中に通話が行われても、通話期間中の放送内容を省くことなく視聴することが可能となる。
【図面の簡単な説明】
【図１】本発明による携帯通信装置の実施の形態1の構成を示すブロック図である。
【図２】実施の形態１の携帯通信装置１の動作の流れを示すフローチャートである。
【図３】本発明による携帯通信装置１によって行われる実施の形態２の処理動作を説明するためのフローチャートである。
【図４】本発明による携帯通信装置の実施の形態３の構成を示すブロック図である。
【図５】本実施の形態３の携帯通信装置１５によって行なわれる動作の流を示すフローチャートである。
【図６】本発明による携帯通信装置１５によって行われる実施の形態４の処理動作を説明するためのフローチャートである。
【図７】本発明による携帯通信装置１５によって行われる実施の形態５の処理動作を説明するためのフローチャートである。
【図８】本発明による実施の形態６の処理動作を説明するためのフローチャートである。
【図９】本発明による携帯通信装置が、受信して視聴可能とするテレビ放送信号を配信する配信システムを示す実施の形態７のテレビ放送信号の配信システムの構成図である。
【図１０】本発明による携帯通信装置の実施の形態８の構成を示すブロック図である。
【図１１】本発明による携帯通信装置１に対するアンテナの他の設置例を示すブロック図である。
【符号の説明】
１  携帯通信装置、  ２  アンテナ、  ３  テレビ復調部、  ４  携帯電話部、  ５  記録／再生部、  ６  制御部、  ７  表示部、  ８  音声入出力部、  ９  マイクロホン、  １０  スピーカ、  １１  イヤホン／ヘッドホン端子、  １２  ユーザインターフェース部、  １５  携帯通信装置、  １６  映像音声出力部、  １７  表示装置、  ２０  携帯通信装置、  ３０  通信ネットワーク、３１  放送サーバ、  ３２  通信ネットワーク基地局、  ３３  地上波放送局。
【図１】
2004193944.tif 000003
【図２】
2004193944.tif 000004
【図３】
2004193944.tif 000005
【図４】
2004193944.tif 000006
【図５】
2004193944.tif 000007
【図６】
2004193944.tif 000008
【図７】
2004193944.tif 000009
【図８】
2004193944.tif 000010
【図９】
2004193944.tif 000011
【図１０】
2004193944.tif 000012
【図１１】
2004193944.tif 000013